(57)【要約】【課題】透明インクを用いることなく水分分布を均一にできる印刷システムを提供する。【解決手段】印刷システム１は、印刷用紙５にインクジェット方式によりインクを吐出することにより、印刷領域に順次印刷する印刷装置１０と、印刷用紙５を加熱する加熱ヘッド２１と、印刷装置１０からのインクの吐出量に基づいて加熱ヘッド２１を制御することにより、吐出量に対応した加熱量で印刷領域を順次加熱する制御部２６と、を備える。【選択図】図１
2017007152.tif 000002
【特許請求の範囲】
【請求項１】
印刷情報に基づいて被印刷体にインクジェット方式によりインクを吐出することにより、印刷領域に順次印刷する印刷部と、
被印刷体を加熱する加熱部と、
前記印刷部からのインクの吐出量に基づいて前記加熱部を制御することにより、吐出量に対応した加熱量で印刷領域を順次加熱する制御部と、
を備える印刷システム。
【請求項２】
請求項１に記載の印刷システムにおいて、
前記印刷部は、複数の吐出部を備え、多色印刷可能なものであり、
１つの前記加熱部が、前記複数の吐出部に対応して設けられ、
前記複数の吐出部から印刷領域へのインクの総吐出量に基づいて、前記加熱部による加熱量を算出する加熱量算出部を備えること、
を特徴とする印刷システム。
【請求項３】
請求項１に記載の印刷システムにおいて、
前記印刷部は、複数の吐出部を備え、多色印刷可能なものであり、
複数の加熱部が、各吐出部に対応して設けられ、
前記制御部は、各吐出部に対応した前記加熱部を制御すること、
を特徴とする印刷システム。
【請求項４】
請求項１から請求項３のいずれかに記載の印刷システムにおいて、
前記加熱部は、被印刷体の印刷面とは反対側の面に接触し、印刷領域を加熱すること、
を特徴とする印刷システム。
【請求項５】
請求項１から請求項４のいずれかに記載の印刷システムにおいて、
前記加熱部は、被印刷体に接触した状態で印刷領域を加熱し、
前記印刷部がインクを吐出後、前記加熱部が加熱するまでの間に、前記印刷部が吐出したインクを非接触で予備乾燥する予備乾燥部とを備えること、
を特徴とする印刷システム。
【請求項６】
請求項１から請求項５のいずれかに記載の印刷システムにおいて、
前記加熱部の加熱後に、被印刷体の周囲の雰囲気を加湿し、被印刷体の水分含有量を調整する加湿部を備えること、
を特徴とする印刷システム。
【請求項７】
請求項１から請求項６のいずれかに記載の印刷システムにおいて、
前記制御部は、印刷領域のうち面積当たりのインクの吐出量が判定基準値以上の部分を、前記加熱部によって加熱すること、
を特徴とする印刷システム。
【発明の詳細な説明】
【技術分野】
【０００１】
本発明は、インクジェット式の印刷システムに関するものである。
【背景技術】
【０００２】
従来、色付インクに加えて、透明インクを吐出することにより、印刷用紙の伸びを均一にするインクジェットプリンタがあった（例えば特許文献１）。
しかし、従来のインクジェットプリンタは、本来の印刷のために必要なインクの他に、透明インクが必要になってしまう。
【先行技術文献】
【特許文献】
【０００３】
【特許文献１】特開２００８−２９０２８６号公報
【発明の概要】
【発明が解決しようとする課題】
【０００４】
本発明の課題は、透明インクを用いることなく水分分布を均一にできる印刷システムを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、印刷情報に基づいて被印刷体（５，６，３０６）にインクジェット方式によりインクを吐出することにより、印刷領域に順次印刷する印刷部（１０）と、被印刷体を加熱する加熱部（２１，２２１Ｋ，２２１Ｃ，２２１Ｙ，２２１Ｍ）と、前記印刷部からのインクの吐出量に基づいて前記加熱部を制御することにより、吐出量に対応した加熱量で印刷領域を順次加熱する制御部（２６，２６ｃ）と、を備える印刷システムである。
・第２の発明は、第１の発明の印刷システムにおいて、前記印刷部（１０）は、複数の吐出部（１１Ｋ，１１Ｃ，１１Ｙ，１１Ｍ）を備え、多色印刷可能なものであり、１つの前記加熱部（２１）が、前記複数の吐出部に対応して設けられ、前記複数の吐出部から印刷領域へのインクの総吐出量に基づいて、前記加熱部による加熱量を算出する加熱量算出部（２６ｂ）を備えること、を特徴とする印刷システムである。
・第３の発明は、第１の発明の印刷システムにおいて、前記印刷部（１０）は、複数の吐出部（１１Ｋ，１１Ｃ，１１Ｙ，１１Ｍ）を備え、多色印刷可能なものであり、複数の加熱部（２２１Ｋ，２２１Ｃ，２２１Ｙ，２２１Ｍ）が、各吐出部に対応して設けられ、前記制御部は、各吐出部に対応した前記加熱部を制御すること、を特徴とする印刷システムである。
・第４の発明は、第１から第３のいずれかの発明の印刷システムにおいて、前記加熱部（２１，２２１Ｋ，２２１Ｃ，２２１Ｙ，２２１Ｍ）は、被印刷体（５，６，３０６）の印刷面とは反対側の面に接触し、印刷領域を加熱すること、を特徴とする印刷システムである。
・第５の発明は、第１から第４のいずれかの発明の印刷システムにおいて、前記加熱部は、被印刷体に接触した状態で印刷領域を加熱し、前記印刷部がインクを吐出後、前記加熱部が加熱するまでの間に、前記印刷部が吐出したインクを非接触で予備乾燥する予備乾燥部とを備えること、を特徴とする印刷システムである。
・第６の発明は、第１から第５のいずれかの発明の印刷システムにおいて、前記加熱部（２１，２２１Ｋ，２２１Ｃ，２２１Ｙ，２２１Ｍ）の加熱後に、被印刷体（５，６，３０６）の周囲の雰囲気を加湿し、被印刷体の水分含有量を調整する加湿部（３０）を備えること、を特徴とする印刷システムである。
・第７の発明は、第１から第６のいずれかの発明の印刷システムにおいて、前記制御部は、印刷領域のうち面積当たりのインクの吐出量が判定基準値以上の部分（３０６Ｋ）を、前記加熱部（２１）によって加熱すること、を特徴とする印刷システムである。
【発明の効果】
【０００７】
本発明によれば、透明インクを用いることなく水分分布を均一にできる印刷システムを提供できる。
【図面の簡単な説明】
【０００８】
【図１】第１実施形態の印刷システム１の構成を示す図である。
【図２】第１実施形態の印刷情報、加熱情報を説明する表である。
【図３】第１実施形態の帳票６Ｇの印刷領域を拡大して示す図である。
【図４】第２実施形態の印刷システム２０１の加熱工程時の状態を示す図である。
【図５】第３実施形態の印刷システム３０１を、上側Ｚ２から見た状態の各装置の配置を説明する図である。
【発明を実施するための形態】
【０００９】
（実施形態）
以下、図面等を参照して、本発明の実施形態について説明する。
（第１実施形態）
図１は、第１実施形態の印刷システム１の構成を示す図である。
図１（Ａ）は、印刷システム１を、上側Ｚ２から見た状態の各装置の配置を説明する図である。
図１（Ｂ）は、印刷システム１を、幅方向Ｙから見た構成を示す図である。
図２は、第１実施形態の印刷情報、加熱情報を説明する表である。
実施形態、図面では、説明と理解を容易にするために、ＸＹＺ直交座標系を設けた。この座標系は、図１の状態を基準に、印刷用紙５の送り方向Ｘ、幅方向Ｙ、厚さ方向Ｚを表す。送り方向Ｘは、図中右側Ｘ２が上流側、左側Ｘ１が下流側である。
印刷システム１は、印刷用紙５（被印刷体）を送り方向Ｘに送りながら印刷用紙５に印刷し、帳票６を製造するシステムの一部である。印刷システム１は、印刷内容を、帳票６毎に可変（バリアブル）にすることができる。
【００１０】
印刷用紙５は、帳票６（単位帳票）が流し方向に連続した連続帳票である。印刷用紙５は、印刷面を上側Ｚ２にした状態で送られる。印刷用紙５は、幅方向Ｙの縁部に沿って、マージナル孔５ａが設けられている。
また、詳細な説明は省略するが、印刷システム１は、マージナル孔５ａに係合する突起を有し、印刷用紙５を送るためのローラ等を備える。
【００１１】
［印刷システム１の構成］
印刷システム１は、印刷装置１０（印刷部）、加熱装置２０、加湿装置３０（加湿部）、制御装置４０を備える。印刷装置１０、加熱装置２０、加湿装置３０は、右側Ｘ２から左側Ｘ１に向けてこの順番で配置されている。
各装置（印刷装置１０、加熱装置２０、制御装置４０）の各記憶部１５，２５，４５は、各装置の動作に必要なプログラム、情報等を記憶するためのハードディスク、半導体メモリ素子等の記憶装置である。また、各装置の各制御部１６，２６，４６は、それぞれ各装置を統括的に制御する装置であり、ＣＰＵ等から構成される。
【００１２】
印刷装置１０は、ＩＪ（インクジェット）方式で多色印刷可能な装置である。
印刷装置１０は、ＩＪヘッド１１（吐出部）、記憶部１５、制御部１６を備える。
ＩＪヘッドは、ＩＪ印刷用のヘッドである。
ＩＪヘッド１１は、印刷情報（後述する）に基づいて印刷用紙５にインクを吐出することにより、印刷用紙５の印刷領域に順次印刷する。
ＩＪヘッド１１は、４つのＩＪヘッド１１Ｋ，１１Ｃ，１１Ｙ，１１Ｍが、右側Ｘ２から左側Ｘ１に順に配置されている。
ＩＪヘッド１１Ｋ，１１Ｃ，１１Ｙ，１１Ｍは、それぞれ、黒（Ｋ）、シアン（Ｃ）、イエロ（Ｙ）、マゼンダ（Ｍ）の４色のインクを吐出するものである。
各ＩＪヘッド１１Ｋ，１１Ｃ，１１Ｙ，１１Ｍは、複数の吐出口１１ａを備える。これら複数の吐出口１１ａは、幅方向Ｙに平行に配置されている。
【００１３】
記憶部１５は、印刷情報を記憶している。
印刷情報は、各帳票６に印刷するための情報である。
印刷情報は、例えば、制御装置４０又は他の装置から通信ケーブルを介して取得をしたり、ＣＤＲＯＭ等の記憶媒体に記憶したものを読み取り装置（図示せず）で読み取って取得等をする。
【００１４】
印刷情報は、文字、図形等のインクの吐出位置に関する印刷領域と、印刷色に関する情報とを、対応付けた情報である。
図２（Ａ）に示すように、印刷領域は、帳票６上の印刷位置に関する情報である。例えば、帳票６Ｇの文字「ＭＧ」は、文字「ＭＧ」の形状の印刷領域の座標に関する情報である。
なお、実際には、記憶部１５は、複数枚（例えば数万枚）の帳票６の印刷情報を有する。
図２（Ａ）、図２（Ｂ）に示すように、印刷色に関する情報は、印刷位置と、印刷位置に印刷する色とが対応付けられている。例えば、帳票６Ｇの文字「Ｍ」の印刷位置と印刷色「マゼンダ（Ｍ）」とが対応付いており、また、文字「Ｇ」の印刷位置と印刷色「緑（Ｇ）」とが対応付いている。
なお、実施形態では、便宜上、文字「Ｋ」の印刷色は「黒（Ｋ）」、文字「Ｃ」の印刷色は「シアン（Ｃ）」、文字「Ｙ」の印刷色は「イエロ（Ｙ）」、文字「Ｇ」の印刷色は「緑（Ｇ）」とする。
【００１５】
加熱装置２０は、印刷用紙５を加熱するための装置である。
加熱装置２０は、加熱ヘッド２１（加熱部）、記憶部２５、制御部２６を備える。
加熱ヘッド２１は、例えば、熱転写式、感熱式のサーマルプリンタ用のサーマルヘッドを流用できる。加熱ヘッド２１は、発熱体２１ａが幅方向Ｙに複数配列されている。加熱ヘッド２１は、印刷用紙５よりも下側Ｚ１に配置されており、印刷用紙５の下面に接触する。このため、加熱ヘッド２１は、印刷用紙５を、印刷面とは反対側から加熱する。
なお、加熱ヘッド２１の上側Ｚ２には、印刷用紙５を挟んで、受けローラ２１ｂが配置されている。
【００１６】
記憶部２５は、加熱情報２５ａを記憶している。
加熱情報２５ａは、印刷用紙５を加熱するための情報である。
加熱情報２５ａの詳細は、後述する。
【００１７】
制御部２６は、吐出量算出部２６ａ、加熱量算出部２６ｂ、加熱ヘッド制御部２６ｃを備える。
吐出量算出部２６ａは、印刷領域のインクの総吐出量を算出する。
加熱量算出部２６ｂは、印刷領域の単位面積当たりの加熱量を算出する。
加熱ヘッド制御部２６ｃは、加熱ヘッド２１を制御する。
これらの制御部の詳細は、後述する。
【００１８】
加湿装置３０は、加熱装置２０による印刷用紙５の加熱後に、印刷用紙５の周囲の雰囲気（つまり、加熱装置２０を通過後の印刷用紙５の周囲の空気）を加湿することにより、印刷用紙５の水分含有量を調整する装置である。加湿装置３０は、例えば、水噴霧式、気化式、超音波式等の加湿器を備える。
制御装置４０は、印刷システム１を統括して制御するコンピュータである。
【００１９】
［印刷システム１の動作］
印刷システム１の動作について説明する。
（加熱量の算出処理）
最初に、加熱装置２０が加熱量を算出する処理について説明する。
吐出量算出部２６ａは、以下のように、印刷情報に基づいて印刷領域の総吐出量を算出し、記憶部２５に記憶する。印刷情報は、印刷装置１０と同様に、制御装置４０等を介して取得することができる。
【００２０】
総吐出量は、単位面積当たりに吐出されるインクの総量に関する情報である。
実施形態では、便宜上、吐出量の度合を数値で表す。１つのＩＪヘッド１１は、単位面積当たりに一定量である吐出量「１」のインクを吐出するものとする。
図２（Ａ）、図２（Ｂ）に示すように、例えば、帳票６Ｇの文字「Ｍ」の印刷領域の吐出量は、文字色がマゼンダ（Ｍ）の１色であるので、総吐出量「１」である。文字「Ｇ」は、文字色が緑（Ｇ）であるので、イエロ（Ｙ）、シアン（Ｃ）の２色である。このため、文字「Ｇ」の印刷領域の吐出量は、総吐出量「２」である。つまり、後者は、前者の２倍の量のインクが吐出される。
なお、吐出量は、印刷装置１０が吐出するインクの量であるため、印刷装置１０でも算出する。このため、吐出量算出部２６ａは、印刷装置１０から吐出量を取得し、総吐出量を算出してもよい。
【００２１】
加熱量算出部２６ｂは、吐出量算出部２６ａが算出した総吐出量に基づいて、各印刷領域の加熱量を算出する。加熱量は、各印刷領域に加えられる熱量に関する情報である。
実施形態では、便宜上、加熱量の度合を数値で表す。加熱量算出部２６ｂは、総吐出量「１」に対応した加熱量を、加熱量「１」と算出するものとする。
図２（Ｂ）に示すように、例えば、前述した帳票６Ｇの文字「Ｍ」の印刷領域は、吐出量は、総吐出量「１」であるので、加熱量「１」である。帳票６Ｇの文字「Ｇ」の印刷領域は、総吐出量「２」であるので、加熱量「２」である。
つまり、帳票６Ｇの文字「Ｇ」は、文字「Ｍ」の２倍の加熱量で加熱される。
なお、実施形態では、総吐出量、加熱量は、比例関係にある例を説明するが、これに限定されない。加熱量は、総吐出量に対応付いたものであればよく、つまり、総吐出量に基づいて算出できれば、例えば、適宜補正してもよい。
【００２２】
以上の算出処理により、加熱装置２０の記憶部２５には、加熱情報２５ａとして、印刷領域と加熱量とが対応付けて記憶される（図２の矢印Ａ参照）。なお、この算出処理は、後述する全体の動作、つまり、印刷用紙５の印刷処理と並行して行ってもよい。
【００２３】
（全体の動作）
印刷システム１の全体の動作を説明する。
図３は、第１実施形態の帳票６Ｇの印刷領域を拡大して示す図である。
図３（Ａ）、図３（Ｂ）は、ＩＪヘッド１１、加熱ヘッド２１の解像度を示すために、帳票６Ｇ上にマトリクスを示した。
（１）印刷工程
印刷装置１０は、記憶部１５の印刷情報に基づいて、印刷用紙５に印刷をする。
印刷位置の判定方法の詳細は説明するが、例えば、印刷用紙５に設けられた基準マークの位置、ローラの送り量等に基づいて算出できる。
【００２４】
図３（Ａ）は、帳票６Ｇの印刷を終えた場面である。
帳票６Ｇの文字「Ｍ」の印刷領域である各マスは、マゼンダ（Ｍ）のインク５０Ｍのみ吐出量「１」ずつ吐出されている。一方、文字「Ｇ」の印刷領域である各マスには、シアン（Ｃ）、イエロ（Ｙ）のインク５０Ｃ，５０Ｙが吐出量「１」ずつ吐出される。このため、文字「Ｇ」の各マスは、総吐出量「２」である。
【００２５】
（２）加熱工程
加熱装置２０の制御部２６は、加熱ヘッド２１が印刷用紙５の印刷領域に重なると、吐出量に対応した熱量で印刷領域を順次加熱する。印刷位置は、印刷装置１０と同様に、基準マーク等に基づいて算出できる。
【００２６】
図３（Ｂ）は、帳票６Ｇを加熱している場面である。
加熱ヘッド制御部２６ｃは、記憶部２５を参照し、加熱ヘッド２１を制御することにより、各印刷領域を、総吐出量に対応した加熱量で加熱する。
文字「Ｍ」の印刷領域である各マスは、総吐出量「１」であるので、加熱ヘッド制御部２６ｃは、これらの各マスを、加熱量「１」で加熱する。文字「Ｇ」の印刷領域である各マスは、総出量「２」であるので、加熱ヘッド制御部２６ｃは、こられ各マスを、加熱量「２」で加熱する。
なお、実施形態では詳細は省略するが、３色又は４色のインクが吐出される領域は、総吐出量「３」又は「４」となる。このため、加熱装置２０は、これらの領域を加熱量「３」又は「４」で加熱する。
【００２７】
このように、印刷システム１は、各マスの総吐出量に対応した加熱量で加熱することにより、印刷用紙５の印刷領域の水分分布を均一することができる。例えば、印刷直後は、文字「Ｍ」の印刷領域の総インク量は「１」、一方、文字「Ｇ」の印刷領域の総インク量は「２」である。このため、後者の水分含有量は、前者の２倍である。この場合でも、加熱装置２０は、後者を前者の２倍の加熱量で加熱することにより、両者の水分含有量を同じにすることができる。
【００２８】
ここで、印刷用紙５は、送り駆動されることにより、送り方向Ｘにストレスがかかる。このため、印刷用紙５の水分分布のバラツキが大きいと、ストレスにともなう印刷用紙５の伸びのバラツキが大きくなる。この場合には、印刷用紙５の全長の制御が困難になる。
実施形態では、印刷用紙５の水分分布を均一することができるため、印刷用紙５の伸びのバラツキを小さくできるので、印刷用紙５の全長の制御が容易である。
【００２９】
また、加熱ヘッド２１は、印刷装置１０で印刷した文字（印刷領域）を、印刷用紙５の下面側からなぞるように加熱すればよい。加熱ヘッド２１の制御は、サーマルプリンタによる印刷と同様であるので、容易である。
さらに、印刷面とは反対側の面から加熱するので、加熱ヘッド２１には、インクが付着しない。これにより、印刷用紙５の印刷が進行にともなう加熱量の変化を抑制でき、また、印刷用紙５の汚れを抑制できる。
また、加熱ヘッド２１は、ＩＪ部の４つのＩＪヘッド１１Ｋ，１１Ｃ，１１Ｙ，１１Ｍで印刷した印刷領域を加熱する。つまり、１つの加熱ヘッド２１が４つのＩＪヘッド１１Ｋ，１１Ｃ，１１Ｙ，１１Ｍに対応して設けられている。このため、印刷システム１は、１つの加熱ヘッド２１を設ければよいので、構成が簡単である。
【００３０】
（３）加湿工程
加湿装置３０は、湿度検出部（図示せず）の出力に基づいて、印刷用紙５の周囲の雰囲気の湿度を制御する。このため、印刷用紙５は、加湿装置３０によって均一に水分が付加される。
作業者は、例えば、印刷用紙５の伸びが小さいときには、湿度を高くすることにより、印刷用紙５の水分含有量を多くすればよい。
これにより、加湿装置３０は、印刷用紙５の全体の伸びを調整できる。なお、印刷用紙５は、加湿装置３０に加湿される状態では、加熱装置２０を通過した後であるので、水分分布のバラツキが小さい。このため、印刷用紙５は、加湿装置３０によって水分を付加された後においても、水分分布のバラツキが小さいため、印刷用紙５の伸びのバラツキを小さくできる。
【００３１】
以上説明したように、本実施形態の印刷システム１は、印刷用紙５の水分分布のバラツキを小さくできる。これにより、印刷システム１は、印刷用紙５の全体の長さを所望の長さに制御しやすい。また、例えば、印刷した帳票６を、後工程において、他の帳票と貼り合わせるような場合でも、貼り合わせの位置ずれを小さくすることができる。
さらに、印刷システム１は、従来のサーマルヘッドを流用できるので、低コストで導入できるし、また、透明インク等を吐出せずに水分分布を均一にできるので、低コストで印刷できる。
【００３２】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図４は、第２実施形態の印刷システム２０１の加熱工程時の状態を示す図（図３（Ｂ）に対応する図）である。
本実施形態の加熱装置は、４つの加熱ヘッド２２１Ｋ，２２１Ｃ，２２１Ｙ，２２１Ｍを備える。
加熱ヘッド２２１Ｋ，２２１Ｃ，２２１Ｙ，２２１Ｍは、それぞれ、４つのＩＪヘッド１１Ｋ，１１Ｃ，１１Ｙ，１１Ｍ（図１参照）に対応している。つまり、加熱装置の制御部は、各色の吐出部が吐出量「１」のインクを吐出したマスを、加熱ヘッド２２１Ｋ，２２１Ｃ，２２１Ｙ，２２１Ｍを制御して、加熱量「１」ずつ熱する。
例えば、ＩＪヘッド１１Ｃ、１１Ｙは、文字「Ｇ」の各マスを、インクを吐出量「１」ずつ吐出するので、総吐出量「２」を吐出する。このため、加熱ヘッド２２１Ｃ，２２１Ｙは、文字「Ｇ」の各マスを、加熱量「１」ずつ加熱することにより、総加熱量「２」で加熱する。
【００３３】
このように、本実施形態の加熱装置は、４つのＩｊヘッドに対応した４つの加熱ヘッドを、個別に制御すればよい。このため、加熱装置は、各マスの総吐出量を算出する必要がないので、処理が容易である。
【００３４】
（第３実施形態）
次に、本発明の第３実施形態について説明する。
図５は、第３実施形態の印刷システム３０１を、上側Ｚ２から見た状態の各装置の配置を説明する図（図１（Ａ）に対応する図）である。
本実施形態の加熱装置３２０の制御部は、印刷情報に基づいて、各帳票３０６への総吐出量を算出する。
そして、加熱装置３２０の制御部は、総吐出量が判定基準以上の帳票３０６を、加熱装置３２０による加熱処理を行い、一方、総吐出量が判定基準未満の帳票を、加熱装置３２０による加熱処理を行わない。総吐出量が判定基準未満の帳票は、伸縮が小さいからである。
【００３５】
ここで、帳票３０６は、その目的等に応じて、インクの吐出量が多いものと、少ないものがある。
図５の例では、帳票３０６Ｋの文字「ＫＫ」は、他の帳票３０６の文字よりも小さい。帳票３０６Ｃ，３０６Ｙ，３０６Ｍ，３０６Ｇは、総吐出量が判定基準以上であり、一方、帳票３０６Ｋは、総吐出量が判定基準未満である。
このため、本実施形態の加熱装置３２０の制御部は、帳票３０６Ｃ，３０６Ｙ，３０６Ｍ，３０６Ｇの加熱処理を行うが、帳票３０６Ｋの加熱処理を行わない。
【００３６】
このように、本実施形態の印刷システム３０１は、各帳票３０６へのインクの総吐出量に応じて、選択的に帳票３０６を加熱処理するので、加熱処理が容易である。
なお、実施形態では、加熱装置３２０は、各帳票の総吐出量によって加熱処理するか否かを判定したが、これに限定されない。加熱装置は、１つの帳票内であっても、面積当たりの総吐出量を算出し、判定基準値以上の領域のみを、加熱部によって加熱してもよい。この場合には、印刷システムは、１つの帳票内における、伸縮のバラツキを小さくできる。
【００３７】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３８】
（変形形態）
（１）実施形態において、１つの吐出部からの１マス当たりの吐出量は、「１」である例を示したが、これに限定されない。例えば、この吐出量は、マス毎に異なっていてもよく、また、色毎に異なっていてもよい。
この場合にも、加熱装置は、インクの総吐出量に応じて、加熱量を制御することにより、印刷用紙の水分分布を均一にできる。
【００３９】
（２）実施形態において、加熱ヘッドの解像度は、印刷装置の解像度と同じである例を説明した。つまり、ＩＪヘッドがインクを吐出する各マスのそれぞれを、加熱ヘッドが個別に加熱できる例を示したが、これに限定されない。加熱装置の解像度が、印刷装置の解像度よりも低い場合には、加熱装置は、文字形状（印刷領域）よりも、一回り大きい領域を加熱するようにすればよい。
【００４０】
（３）実施形態において、加熱装置は、インクを吐出された印刷用紙を、そのまま加熱する例を示したが、これに限定されない。印刷装置及び加熱装置の間に、吐出後のインクの一部を、非接触で予備乾燥する予備乾燥部を設置してもよい。予備乾燥部は、温風を送る装置等によって構成できる。この場合には、印刷用紙に吐出されたインクが他の部材に付着することが抑制されるので、加熱ヘッドを印刷用紙の上側に配置することができる。
【符号の説明】
【００４１】
１，２０１，３０１  印刷システム
５  印刷用紙
６（６Ｋ，６Ｃ，６Ｙ，６Ｍ，６Ｇ），３０６（３０６Ｋ，３０６Ｃ，３０６Ｙ，３０６Ｍ，３０６Ｇ）  帳票
１０  印刷装置
１１（１１Ｋ，１１Ｃ，１１Ｙ，１１Ｍ）  ＩＪヘッド
２０，３２０  加熱装置
２１，２２１Ｋ，２２１Ｃ，２２１Ｙ，２２１Ｍ  加熱ヘッド
２５  記憶部
２６  制御部
２６ａ  吐出量算出部
２６ｂ  加熱量算出部
２６ｃ  加熱ヘッド制御部
３０  加湿装置
【図１】
2017007152.tif 000003
【図２】
2017007152.tif 000004
【図３】
2017007152.tif 000005
【図４】
2017007152.tif 000006
【図５】
2017007152.tif 000007